(57)【要約】【課題】  音質を変化させることができる鍵盤楽器を提供する。【解決手段】  楽器ケース１内における鍵盤部７とスピーカ１０との間に楽器ケース１の前後方向に傾動可能に設けられて、鍵盤側空間Ｋ１とスピーカ側空間Ｋ２との間を開閉可能に仕切る仕切板３０と、鍵盤蓋１３が鍵盤部７を露呈させた際に鍵盤蓋１３の開位置に応じて仕切板３０を傾動させて鍵盤側空間Ｋ１とスピーカ側空間Ｋ２との間を開閉する操作突起部３５と、を備えている。従って、鍵盤蓋１３の開位置によって仕切板３０が鍵盤側空間Ｋ１とスピーカ側空間Ｋ２との間を仕切って塞ぐことにより、スピーカ側空間Ｋ２を音響空間として形成して音質を高めることができ、また鍵盤蓋１３の開位置によって仕切板３０が鍵盤側空間Ｋ１とスピーカ側空間Ｋ２との間を開放することにより、音質を変えることができる。【選択図】        図３
2015090372.tif 000002
【特許請求の範囲】
【請求項１】
前部側が上方に開放された楽器ケースと、
この楽器ケース内に配置され、当該楽器ケースの前部上側に露呈された鍵盤部と、
この鍵盤部の後方に位置し、前記楽器ケース内に配置されたスピーカと、
前記鍵盤部と前記スピーカとの間に設けられ、前記楽器ケース内を鍵盤側空間とスピーカ側空間とに仕切る仕切部材と、
前記楽器ケース内に収納可能に構成され、当該楽器ケース内に収納されない状態で前記鍵盤部を覆うとともに当該楽器ケース内に収納された状態で前記鍵盤部を露呈させ、当該収納の状態に応じて前記仕切部材を傾動させて前記鍵盤側空間と前記スピーカ側空間との間を開閉させる鍵盤蓋と、
を備えていることを特徴とする鍵盤楽器。
【請求項２】
請求項１に記載の鍵盤楽器において、前記鍵盤蓋は前記収納の状態として、前記鍵盤部を露呈させた第１収納状態と、この第１収納状態から更に前記鍵盤蓋を前記楽器ケースの内部へ収納させた第２収納状態と、を有することを特徴とする鍵盤楽器。
【請求項３】
請求項２に記載の鍵盤楽器において、
前記仕切部材は前記楽器ケースの前後方向に傾動可能に設けられ、
前記第１収納状態の場合に、前記仕切部材を傾動させず、当該仕切部材によって前記鍵盤側空間と前記スピーカ側空間との間を閉状態に維持させ、
一方、前記第２収納状態の場合に、前記鍵盤蓋の開動作に伴って前記仕切部材を傾動させ、前記鍵盤側空間と前記スピーカ側空間との間を開放する開状態に切り替えることを特徴とする鍵盤楽器。
【請求項４】
請求項３に記載の鍵盤楽器において、前記楽器ケース内に前記仕切部材を前後方向に回転可能に支持する支持軸と、前記鍵盤側空間と前記スピーカ側空間との間を塞ぐ位置に向けて前記仕切部材を付勢する付勢部材とを備えていることを特徴とする鍵盤楽器。
【請求項５】
請求項１〜請求項４のいずれかに記載の鍵盤楽器において、前記鍵盤蓋は、複数の蓋部が折り曲げ可能に連結され、前記楽器ケースにスライド可能に設けられていることを特徴とする鍵盤楽器。
【請求項６】
請求項１〜請求項４のいずれかに記載の鍵盤楽器において、前記鍵盤蓋は、１枚の平板で形成され、前記楽器ケースにスライド可能に設けられていることを特徴とする鍵盤楽器。
【請求項７】
請求項１〜請求項６のいずれかに記載の鍵盤楽器において、前記スピーカは前記仕切部材に取り付けられていることを特徴とする鍵盤楽器。
【発明の詳細な説明】
【技術分野】
【０００１】
この発明は、電子鍵盤楽器などの鍵盤楽器に関する。
【背景技術】
【０００２】
例えば、電子鍵盤楽器においては、特許文献１に記載されているように、前部側が上方に開放された楽器ケース内に鍵盤部を設けると共に、この鍵盤部を覆う鍵盤蓋を開閉可能に設け、鍵盤部の後方に位置する楽器ケース内にスピーカを下向きに取り付け、このスピーカで発生した音のうち、高音側の音を楽器ケースの下側に放音すると共に、低音側の音を楽器ケース内から楽器ケースの前側に向けて放音するように構成されたものが知られている。
【先行技術文献】
【特許文献】
【０００３】
【特許文献１】特開２０１０−２８６６３３号公報
【０００４】
このような電子鍵盤楽器は、鍵盤蓋に多数の小孔からなる放音部を設け、この放音部から低音側の音を楽器ケースの前側に向けて放音するように構成されている。また、この電子鍵盤楽器は、鍵盤部が、楽器ケース内に配置された鍵盤シャーシと、この鍵盤シャーシ上に上下方向に回転可能な状態で並列に配列された複数の鍵とを備え、これら複数の鍵の各隙間を通して低音側の音を楽器ケースの前側に向けて放音するように構成されている。
【発明の概要】
【発明が解決しようとする課題】
【０００５】
しかしながら、このような電子鍵盤楽器では、スピーカで発生した音のうち、高音側の音が楽器ケースの下側に放音されると共に、低音側の音が楽器ケース内から楽器ケースの前側に向けて放音されるため、楽器ケースから放音される音が常にフラットな状態の音質となり、低音側の音質を高めることができないという問題がある。
【０００６】
また、低音側の音質を高めるために、楽器ケース内を鍵盤蓋によってスピーカ側の空間と鍵盤部側の空間とに仕切り、かつその両方の空間の間を鍵盤蓋で塞いで独立させるように構成された電子鍵盤楽器も開発されている。しかし、このような電子鍵盤楽器では、スピーカ側の独立した音響空間によって低音側の音質を高めることができても、低音側の音を楽器ケースの前側に向けて放音することができないため、今度はフラットな状態の音質が得られないという問題が生じる。
【０００７】
この発明が解決しようとする課題は、鍵盤蓋の開位置を変えるだけで、音質を変化させることができる鍵盤楽器を提供することである。
【課題を解決するための手段】
【０００８】
この発明は、前部側が上方に開放された楽器ケースと、この楽器ケース内に配置され、当該楽器ケースの前部上側に露呈された鍵盤部と、この鍵盤部の後方に位置し、前記楽器ケース内に配置されたスピーカと、前記鍵盤部と前記スピーカとの間に設けられ、前記楽器ケース内を鍵盤側空間とスピーカ側空間とに仕切る仕切部材と、前記楽器ケース内に収納可能に構成され、当該楽器ケース内に収納されない状態で前記鍵盤部を覆うとともに当該楽器ケース内に収納された状態で前記鍵盤部を露呈させ、当該収納の状態に応じて前記仕切部材を傾動させて前記鍵盤側空間と前記スピーカ側空間との間を開閉させる鍵盤蓋と、を備えていることを特徴とする鍵盤楽器である。
【発明の効果】
【０００９】
この発明によれば、鍵盤蓋を楽器ケース内に収納させた際に、鍵盤蓋の収納状態に応じて操作部材が仕切部材を傾動させることができるので、楽器ケース内における鍵盤側空間とスピーカ側空間との間を開閉することができる。このため、仕切部材によって鍵盤側空間とスピーカ側空間との間を塞いだ際に、スピーカ側空間を音響空間として形成することができるので、音質を高めることができる。また、仕切部材によって鍵盤側空間とスピーカ側空間との間が開放された際に、鍵盤側空間に放音路を形成することができるので、この放音路によって音質を変えることができる。これにより、鍵盤蓋の開位置を変えるだけで、音質を変化させることができる。
【図面の簡単な説明】
【００１０】
【図１】この発明を電子鍵盤楽器に適用した第１実施形態において、鍵盤蓋を閉じた状態を示した断面図である。
【図２】図１に示された電子鍵盤楽器において、鍵盤蓋が鍵盤部を第１収納状態で露呈させ、鍵盤側空間とスピーカ側空間との間を仕切板で仕切って塞いだ状態を示した断面図である。
【図３】図２に示された電子鍵盤楽器において、鍵盤蓋を更に楽器ケースの内部へ収納させた第２収納状態で鍵盤部を露呈させ、鍵盤側空間とスピーカ側空間との間を開放させた状態を示した断面図である。
【図４】この発明を電子鍵盤楽器に適用した第２実施形態において、鍵盤蓋を閉じた状態を示した断面図である。
【図５】図４に示された電子鍵盤楽器において、鍵盤蓋が鍵盤部を第１収納状態で露呈させ、鍵盤側空間とスピーカ側空間との間を仕切板で仕切って塞いだ状態を示した断面図である。
【図６】図５に示された電子鍵盤楽器において、鍵盤蓋を更に楽器ケースの内部へ収納させた第２収納状態で鍵盤部を露呈させ、鍵盤側空間とスピーカ側空間との間を開放させた状態を示した断面図である。
【図７】この発明を電子鍵盤楽器に適用した第３実施形態において、鍵盤蓋が鍵盤部を第１収納状態で露呈させ、鍵盤側空間とスピーカ側空間との間を仕切板で仕切って塞いだ状態を示した断面図である。
【図８】図７に示された電子鍵盤楽器において、鍵盤蓋を更に楽器ケースの内部へ収納させた第２収納状態で鍵盤部を露呈させ、鍵盤側空間とスピーカ側空間との間を開放させた状態を示した断面図である。
【発明を実施するための形態】
【００１１】
（第１実施形態）
以下、図１〜図３を参照して、この発明を電子鍵盤楽器に適用した第１実施形態について説明する。
この電子鍵盤楽器は、図１〜図３に示すように、楽器ケース１を備えている。この楽器ケース１は、前側上部（図１では左側上部）が開放された横長のほぼ箱形状に形成されている。
【００１２】
すなわち、この楽器ケース１は、図１〜図３に示すように、底板２と、この底板２の前端部（図１では左端部）に起立して設けられた前板３と、底板２の後端部（図１では右端部）に起立して設けられた後板４と、底板２の左右両側部（図１では紙面の表裏面の両側部）に起立して設けられた一対の側板５と、この一対の側板５の後側上部および後板４の上部に配置された天板６とを備えている。
【００１３】
この場合、前板３は、図１〜図３に示すように、後板４の高さのほぼ半分程度の高さで形成されている。また、一対の側板５は、その前端部が前板３よりも少し高く形成され、前後方向（図１では左右方向）におけるほぼ中間部から後部側が後板４と同じ高さで形成され、前端部から中間部に向けて後部上がりに傾斜する傾斜部に形成されている。これにより、楽器ケース１は、一対の側板５の各傾斜部に対応する前部側が上方に開放された横長のほぼ箱形状に形成されている。
【００１４】
この楽器ケース１内には、図１〜図３に示すように、鍵盤部７が設けられている。この鍵盤部７は、楽器ケース１の底板２上に配置された鍵盤シャーシ８と、この鍵盤シャーシ８上に上下方向に回転可能な状態で並列に配列された複数の鍵９とを備えている。この鍵盤部７は、図２および図３に示すように、複数の鍵９が楽器ケース１の前部側から上方に露呈した状態で、押鍵操作されるように構成されている。
【００１５】
また、楽器ケース１内には、図１〜図３に示すように、スピーカ１０が鍵盤部７の後方に位置した状態で下向きに配置されている。このスピーカ１０は、鍵盤部７の各鍵９が押鍵操作された際に、その各鍵９に応じた音高の楽音を発生するように構成されている。この場合、楽器ケース１の底板２には、スピーカ１０の音を楽器ケース１の下側に向けて放音する放音孔２ａが設けられている。また、この楽器ケース１内には、コンソールパネル１２が鍵盤部７の後部に位置する上側から天板６の前部の下側に向けて傾斜して設けられている。
【００１６】
一方、この楽器ケース１内には、図１〜図３に示すように、鍵盤部７の上側を覆う鍵盤蓋１３が蓋ガイド部１４によって開閉可能に設けられている。この鍵盤蓋１３は、前蓋１５と後蓋１６とを有し、この前蓋１５と後蓋１６とが蝶番１７によって折り曲げ可能に連結され、この状態で鍵盤部７を上方に開放するために楽器ケース１内に収納される際に、前蓋１５と後蓋１６とが蝶番１７で折れ曲がって収納されるように構成されている。
【００１７】
この場合、前蓋１５の前端部には、図１〜図３に示すように、一対の側板５の各内面に向けてそれぞれ突出するガイド軸１５ａが支持脚１５ｂを介して設けられている。また、後蓋１６の前端部には、一対の側板５の各内面に向けてそれぞれ突出するガイド軸１６ａが支持脚１６ｂを介して設けられている。この後蓋１６の後端部には、後述する軸取付板１６ｃが取り付けられている。
【００１８】
蓋ガイド部１４は、図１〜図３に示すように、鍵盤蓋１３が鍵盤部７の上側を覆った際に前蓋１５と後蓋１６とをほぼ平板状に配置し、かつ鍵盤蓋１３が鍵盤部７を上側に開放した際に前蓋１５と後蓋１６とを蝶番１７で折り曲げ、この折り曲げられた後蓋１６を鍵盤部７の後部とスピーカ１０との間に配置させるように構成されている。
【００１９】
すなわち、この蓋ガイド部１４は、図１〜図３に示すように、ガイドレール部１８とガイド部材１９とを有している。ガイドレール部１８は、一対の側板５の内面に前板３の上側から、コンソールパネル１２の上側を経て、天板６の前後方向におけるほぼ中間部の下側に対応する箇所に向けて斜め上方に傾斜して設けられている。このガイドレール部１８は、前蓋１５のガイド軸１５ａと後蓋１６のガイド軸１６ａとをそれぞれ前後方向にガイドするように構成されている。
【００２０】
これにより、ガイドレール部１８は、図１に示すように、前蓋１５と後蓋１６とが鍵盤部７の上側を覆った際に、前蓋１５と後蓋１６とを前下りに傾斜させた状態で平板状に配置するように構成されている。この場合、ガイドレール部１８のほぼ中間部には、前蓋１５と後蓋１６とが鍵盤部７の上側を覆った際に、後蓋１６のガイド軸１６ａを位置規制する凹部１８ａが設けられている。
【００２１】
ガイド部材１９は、図１〜図３に示すように、鍵盤部７の後端部の上部付近に位置する箇所の側板５の内面に設けられた支持軸２０と、この支持軸２０に回転自在に取り付けられたアーム部２１と、このアーム部２１の端部と後蓋１６の軸取付板１６ｃとを回転可能に連結する連結軸２２とを備えている。この場合、アーム部２１の中間部にはガイド軸２３が設けられており、このガイド軸２３にはピニオンギア２４が回転可能に取り付けられている。
【００２２】
すなわち、アーム部２１のガイド軸２３は、図１〜図３に示すように、一対の側板５の内面に設けられたガイド板２５のガイド溝２６に沿って上下方向に円弧を描きながらガイドされるように構成されている。このガイド溝２６は、支持軸２０を中心とする半円弧状をなしてガイド板２５に設けられている。
【００２３】
また、ガイド軸２３のピニオンギア２４は、図１〜図３に示すように、ガイド板２５のガイド歯車２７に噛み合って回転しながら、上下方向に円弧を描いて移動するように構成されている。このガイド歯車２７も、ガイド軸２３と同様、支持軸２０を中心とする半円弧状をなしてガイド板２５に設けられている。
【００２４】
これにより、蓋ガイド部１４は、図１に示すように、鍵盤蓋１３の前蓋１５と後蓋１６とが鍵盤部７の上側を覆って閉じた際に、前蓋１５のガイド軸１５ａをガイドレール部１８の前端部に位置させ、後蓋１６のガイド軸１６ａをガイドレール部１８の凹部１８ａに位置させ、かつ後蓋１６の後端部に位置する連結軸２２をガイド部材１９のアーム部２１によってガイドレール部１８とほぼ同じ高さに位置させることにより、前蓋１５と後蓋１６とを前下がりに傾斜させた状態で平板状に配置するように構成されている。
【００２５】
この場合、蓋ガイド部１４は、図１に示すように、アーム部２１が支持軸２０を中心に反時計回りに回転して起立し、これと同時にガイド軸２３がガイド板２５のガイド溝２６に沿って下側から上側に向けて移動すると共に、ピニオンギア２４がガイド板２５のガイド歯車２７に噛み合って回転しながら下側から上側に向けて移動することにより、後蓋１６の後端部の連結軸２２を押し上げるように構成されている。
【００２６】
また、この蓋ガイド部１４は、図２および図３に示すように、鍵盤蓋１３が開いて鍵盤部７を上側に開放した際に、前蓋１５のガイド軸１５ａをコンソールパネル１２の上方、つまり天板６の前端下側に位置するガイドレール部１８の箇所に位置させ、後蓋１６のガイド軸１６ａをガイドレール部１８の後端部に位置させることにより、前板１５を天板６の下側に配置させ、かつ前蓋１５に対して後蓋１６を蝶番１７で折り曲げて、後蓋１６の後端部に位置する連結軸２２をガイド部材１９のアーム部２１によって引き下げることにより、後蓋１６を鍵盤部７の後部とスピーカ１０との間に配置させるように構成されている。
【００２７】
この場合、蓋ガイド部１４は、図２および図３に示すように、アーム部２１が支持軸２０を中心に時計回りに回転して垂下し、これと同時にガイド軸２３がガイド板２５のガイド溝２６に沿って上側から下側に向けて移動すると共に、ピニオンギア２４がガイド板２５のガイド歯車２７に噛み合って回転しながら上側から下側に向けて移動することにより、後蓋１６の後端部の連結軸２２を引き下げるように構成されている。
【００２８】
ところで、楽器ケース１内には、図１〜図３に示すように、鍵盤部７とスピーカ１０との間を仕切る仕切板３０が、一対の支持軸３１によって前後方向（図１では左右方向）に回転可能に取り付けられている。この仕切板３０は、その上下方向の長さが天板６の下面と底板２の上面との間の長さとほぼ同じ長さで、鍵盤部７の鍵配列方向の長さが一対の側板５間の長さとほぼ同じ長さに形成されている。また、この仕切板３０の上端部および下端部には、クッション材３０ａがそれぞれ設けられている。
【００２９】
一対の支持軸３１は、図１〜図３に示すように、楽器ケース１の一対の側板５の各内面にそれぞれ楽器ケース１内に突出して設けられ、この突出した各先端部に仕切板３０の両側に位置する各端面が回転可能に取り付けられるように構成されている。これにより、仕切板３０は、一対の支持軸３１を中心に回転し、楽器ケース１の前後方向に傾動することにより、鍵盤側空間Ｋ１とスピーカ側空間Ｋ２との間を開閉するように構成されている。
【００３０】
また、この仕切板３０は、図１〜図３に示すように、ばね部材３２のばね力によって鍵盤側空間Ｋ１とスピーカ側空間Ｋ２との間を仕切って塞ぐ位置に向けて付勢されている。このばね部材３２は、ねじりコイルばねであり、そのコイル部が支持軸３１に巻き付けられ、この状態で一端部３１ａが仕切板３０の後面（図１では右側面）に当接し、他端部３１ｂが側板５の内面に設けられたピン部材３３に当接するように構成されている。
【００３１】
この場合、楽器ケース１における天板６の下面には、図１〜図３に示すように、仕切板３０の回転位置を規制する位置規制部３４が設けられている。この位置規制部３４は、仕切板３０が鍵盤側空間Ｋ１とスピーカ側空間Ｋ２との間を仕切って塞いだ状態のときに、仕切板３０の上端部の前面（図１では左側面）が当接することにより、仕切板３０の回転位置を規制するように構成されている。
【００３２】
また、鍵盤蓋１３には、図１〜図３に示すように、鍵盤蓋１３が鍵盤部７を露呈させた際に、鍵盤蓋１３の開位置に応じて仕切板３０を傾動させることにより、鍵盤側空間Ｋ１とスピーカ側空間Ｋ２との間を開閉する操作部材である操作突起部３５が設けられている。この操作突起部３５は、鍵盤蓋１３の前蓋１５における後端部の上部から後方に向けて突出して設けられている。このため、後蓋１６の前部には、前蓋１５と後蓋１６とが鍵盤部７を覆ってほぼ平板状に配置された際に、操作突起部３５を収納する突起収納部３６が設けられている。
【００３３】
また、この鍵盤蓋１３は、図２および図３に示すように、鍵盤部７を露呈させた第１露呈状態と、この第１露呈状態から更に鍵盤部７を露呈させた第２露呈状態と、に開放するように構成されている。これにより、鍵盤蓋１３は、鍵盤部７を第１露呈状態で露呈させた際に、鍵盤蓋１３が楽器ケース１内に収納された第１収納状態と、鍵盤部７を第２露呈状態で露呈させた際に、第１収納状態から更に鍵盤蓋１３が押し込まれた第２収納状態と、に収納されるように構成されている。
【００３４】
すなわち、鍵盤蓋１３は、図２および図３に示すように、楽器ケース１内に収納されて前蓋１５の前端部が天板６の前端部の下側に位置し、後蓋１６が前蓋１５に対してほぼ直角に垂下された際に、第１収納状態となり、また楽器ケース１内に収納されて前蓋１５の前端部が天板６の前端部よりも後側に位置し、後蓋１６が前蓋１５の後部で押されて蝶番１７を中心に更に回転して後方に傾いた際に、第２収納状態となるように構成されている。
【００３５】
この場合、鍵盤蓋１３は、図２に示すように、楽器ケース１内に収納されて前蓋１５の前端部が天板６の前端部の下側に位置した第１収納状態のときに、前蓋１５のガイド軸１５ａがガイドレール部１８に設けられた軸規制部３７に位置規制されると共に、アーム部２１のガイド軸２３がガイド板２５のガイド溝２６の下端部に当接して後蓋１６が位置規制されるように構成されている。
【００３６】
この場合、軸規制部３７は、図１〜図３に示すように、天板６の前端部の下方に位置する個所のガイドレール部１８に設けられた凹部である。また、この鍵盤蓋１３は、第１収納状態から更に楽器ケース１内に押し込まれて、後蓋１６が蝶番１７を中心に更に回転した第２収納状態のときに、後蓋１６が後方に傾くように構成されている。
【００３７】
これにより、操作突起部３５は、図２に示すように、鍵盤蓋１３が楽器ケース１内に収納されて前蓋１５の前端部が天板６の前端部の下側に位置し、後蓋１６が前蓋１５に対してほぼ直角に垂下された第１収納状態のときに、仕切板３０の前側上部に接近または接触するように構成されている。このため、仕切板３０は、鍵盤蓋１３の開動作に伴って操作突起部３５が移動しても、この操作突起部３５によって傾動せず、鍵盤側空間Ｋ１とスピーカ側空間Ｋ２との間を塞いだ閉状態を維持するように構成されている。
【００３８】
また、この操作突起部３５は、図３に示すように、鍵盤蓋１３が楽器ケース１内に収納されて前蓋１５の前端部が天板６の前端部よりも後側に位置し、後蓋１６が蝶番１７を中心に更に回転して後方に傾いた第２収納状態のときに、仕切板３０の前側上部を押圧して仕切板３０をばね部材３２のばね力に抗して傾動させるように構成されている。これにより、仕切板３０は、一対の支持軸３１を中心に傾動して後方に傾くことにより、鍵盤側空間Ｋ１とスピーカ側空間Ｋ２との間を開放する開状態に切り替えるように構成されている。
【００３９】
このため、鍵盤蓋１３は、図２に示すように、楽器ケース１内に収納されて前蓋１５の前端部が天板６の前端部の下側に位置して、前蓋１５のガイド軸１５ａがガイドレール部１８の軸規制部３７に位置規制され、後蓋１６が前蓋１５に対してほぼ直角に垂下された第１収納状態のときに、前蓋１５の操作突起部３５によって仕切板３０が傾動せず、仕切板３０によって鍵盤側空間Ｋ１とスピーカ側空間Ｋ２との間を塞いだ閉状態を維持させるように構成されている。
【００４０】
また、この鍵盤蓋１３は、図３に示すように、楽器ケース１内に収納されて前蓋１５の前端部が天板６の前端部よりも後側に位置して、前蓋１５のガイド軸１５ａがガイドレール部１８の軸規制部３７を乗り越え、後蓋１６が蝶番１７を中心に更に回転して後方に向けて傾いた第２収納状態のときに、操作突起部３５が仕切板３０の上端部を押圧して仕切板３０をばね部材３２のばね力に抗して傾動させるように構成されている。
【００４１】
これにより、仕切板３０は、図３に示すように、鍵盤側空間Ｋ１とスピーカ側空間Ｋ２との間を開放する開状態に切り替わるように構成されている。この場合、仕切板３０は、鍵盤側空間Ｋ１とスピーカ側空間Ｋ２との間を開放する開状態に切り替わった際に、仕切板３０の上端部と天板６の下面との間に第１放音路３８ａを形成すると共に、仕切板３０の下端部と底板３の上面との間に第２放音路３８ｂを形成するように構成されている。
【００４２】
すなわち、第１放音路３８ａは、図３に示すように、仕切板３０の上端部と天板６の下面との間に形成された隙間と、前蓋１５の上面と天板６の下面との間に形成された隙間とによって、鍵盤蓋１３の上側に形成され、スピーカ側空間Ｋ２内の音を楽器ケース１内の上側から楽器ケース１の前側に向けて放音させるように構成されている。
【００４３】
また、第２放音路３８ｂは、図３に示すように、仕切板３０の下端部と底板３の上面との間に形成された隙間と、鍵盤部７の複数の鍵９の各隙間とによって、楽器ケース１内の下部側に形成され、スピーカ側空間Ｋ２内の音を楽器ケース１内の下部側から楽器ケース１の前側に向けて放音させるように構成されている。
【００４４】
次に、このような電子鍵盤楽器の作用について説明する。
この電子鍵盤楽器で演奏をする場合には、まず、鍵盤蓋１３を開いて鍵盤部７を上側に開放させる。このときには、前蓋１５の前端部を持ち上げて後方に向けて移動させる。すると、前蓋１５のガイド軸１５ａと後蓋１６のガイド軸１６ａがガイドレール部１８に沿って後方に向けて移動すると共に、アーム部２１が支持軸２０を中心に時計回りに回転して、後蓋１６が蝶番１７で徐々に折れ曲がりながら、後蓋１６の連結軸２２が上側から下側に向けて移動する。
【００４５】
このときには、アーム部２１の回転に伴ってガイド軸２３がガイド溝２６に沿って上側から下側に向けて移動すると共に、ピニオンギア２４がガイド歯車２７に噛み合って回転しながら上側から下側に向けて移動する。これにより、鍵盤蓋１３は、前蓋１５と後蓋１６とが蝶番１７で徐々に折れ曲がり、この折れ曲がった後蓋１６が鍵盤部７の後部と仕切板３０との間に位置して、仕切板３０の前面に沿って上側から下側に移動する。
【００４６】
そして、前蓋１５が楽器ケース１の天板６の下側に配置されて、前蓋１５のガイド軸１５ａがガイドレール部１８の軸規制部３７に位置規制されると、図２に示すように、鍵盤蓋１３が楽器ケース１内に第１収納状態で収納され、鍵盤部７が第１露呈状態で楽器ケース１の上側に露呈される。このときには、アーム部２１の回転に伴ってガイド軸２３がガイド溝２６の下端部に当接すると共に、ピニオンギア２４がガイド歯車２７の下端部に位置し、後蓋１６が前蓋１５に対してほぼ９０度の角度に折れ曲がって、鍵盤部７の後部と仕切板３０との間に配置される。
【００４７】
また、このときには、前蓋１５の操作突起部３５が仕切板３０に接近または接触する。このため、仕切板３０は、操作突起部３５によって押されることがなく、一対の支持軸３１を中心に回転しないため、傾動することがない。これにより、仕切板３０は、ばね部材３２のばね力によって位置規制部３４に当接した状態を維持するので、鍵盤側空間Ｋ１とスピーカ側空間Ｋ２との間を塞いだ閉状態を維持する。
【００４８】
これにより、スピーカ側空間Ｋ２が楽器ケース１内に音響空間として形成される。この状態では、鍵盤部７が上方に開放されて複数の鍵９が上側に露呈するので、演奏が可能な状態になる。この状態で、楽器ケース１の前部側から上側に露呈した鍵盤部７の複数の鍵９を押鍵操作して演奏すると、その押鍵操作に応じた音高の楽音をスピーカ１０が発生する。
【００４９】
このスピーカ１０で発生した楽音のうち、高音側の音は、楽器ケース１の底板２に設けられた放音孔２ａから楽器ケース１の下側に向けて放音される。また、低音側の音は、楽器ケース１のスピーカ側空間Ｋ２内に放音される。この低音側の音は、仕切板３０によってスピーカ側空間Ｋ２が音響空間になっているので、このスピーカ側空間Ｋ２内で音質が高められる。
【００５０】
一方、スピーカ１０で発生した音の音質を変える場合には、図３に示すように、第１収納状態の鍵盤蓋１３の前蓋１５を楽器ケース１内に向けて更に押し込み、前蓋１５の前端部を天板６の前端部よりも後側に位置させる。このときには、前蓋１５のガイド軸１５ａがガイドレール部１８の軸規制部３７を乗り越え、後蓋１６が前蓋１５の後部で押されて蝶番１７を中心に更に回転して後方に傾いた第２収納状態になり、鍵盤部７が第２露呈状態で楽器ケース１の上側に露呈する。
【００５１】
このときには、図３に示すように、前蓋１５の後端部に設けられた操作突起部３５が仕切板３０の上端部を後方に向けて押圧し、仕切板３０をばね部材３２のばね力に抗して回転させて後方に傾ける。これにより、仕切板３０は、鍵盤側空間Ｋ１とスピーカ側空間Ｋ２との間を開放する開状態に切り替える。
【００５２】
すなわち、仕切板３０は、ばね部材３２のばね力に抗して一対の支持軸３１を中心に回転すると、図３に示すように、後方に向けて傾き、鍵盤側空間Ｋ１とスピーカ側空間Ｋ２との間を開放する。これにより、仕切板３０の上端部と天板６の下面との間に第１放音路３８ａが形成されると共に、仕切板３０の下端部と底板３の上面との間に第２放音路３８ｂが形成される。
【００５３】
この状態で、楽器ケース１の前部側から上側に露呈した鍵盤部７の複数の鍵９を押鍵操作して演奏すると、その押鍵操作に応じた音高の楽音をスピーカ１０が発生する。このスピーカ１０で発生した楽音のうち、高音側の音は、楽器ケース１の下側に向けて放音される。また、低音側の音は、楽器ケース１のスピーカ側空間Ｋ２内に放音される。このスピーカ側空間Ｋ２内に放音された低音側の音は、第１放音路３８ａと第２放音路３８ｂとを通して楽器ケース１の前側に向けて放音されるので、音質がフラットな状態の音質に変化する。
【００５４】
すなわち、第１放音路３８ａは、仕切板３０の上端部と天板６の下面との間に形成された隙間と、前蓋１５の上面と天板６の下面との間に形成された隙間とによって、鍵盤蓋１３の上側に形成されていることにより、スピーカ側空間Ｋ２内の音が楽器ケース１内の上側から楽器ケース１の前側に向けて放音される。
【００５５】
また、第２放音路３８ｂは、仕切板３０の下端部と底板３の上面との間に形成された隙間と、鍵盤部７の複数の鍵９の各隙間とによって、鍵盤蓋１３の下側に形成されていることにより、スピーカ側空間Ｋ２内の音が楽器ケース１内の下側から楽器ケース１の前側に向けて放音される。これにより、スピーカ側空間Ｋ２内の音質がフラットな状態の音質に変化して放音される。
【００５６】
一方、演奏をしないときには、鍵盤蓋１３を閉じて鍵盤部７を覆う。このときには、鍵盤蓋１３の前蓋１５の前端部を楽器ケース１の前側に向けて引き出す。すると、前蓋１５のガイド軸１５ａと後蓋１６のガイド軸１６ａがガイドレール部１８に沿って前側に移動し、後蓋１６の連結軸２２がガイド部材１９のアーム部２１によって押し上げられる。
【００５７】
すなわち、ガイド部材１９のアーム部２１は、後蓋１６の移動に伴って支持軸２０を中心に反時計回りに回転して、後蓋１６の連結軸２２を押し上げる。このときには、ガイド軸２３がガイド溝２６に沿って下側から上側に向けて移動すると共に、ピニオンギア２４がガイド歯車２７に噛み合って下側から上側に向けて移動しながら、前蓋１５と後蓋１６とが蝶番１７で徐々に押し広げられる方向に折れ曲がって楽器ケース１の前側に向けて移動する。
【００５８】
そして、前蓋１５のガイド軸１５ａがガイドレール部１８の軸規制部３７に位置規制されると、図２に示すように、前蓋１５の前端部が天板６の前端部の下側に位置し、後蓋１６が前蓋１５に対してほぼ直角に垂下された第１収納状態になる。このときには、前蓋１５の操作突起部３５が仕切板３０の前面に接近または接触する状態になるので、仕切板３０がばね部材３２のばね力によって一対の支持軸３１を中心に反時計回りに回転して鍵盤側空間Ｋ１とスピーカ側空間Ｋ２との間を塞ぐ。
【００５９】
この状態で、鍵盤蓋１３を更に楽器ケース１の前側に引き出し、前蓋１５のガイド軸１５ａが楽器ケース１の前板３上に位置するガイドレール部１８の前端部に位置し、後蓋１６のガイド軸１６ａがガイドレール部１８の中間部の凹部１８ａに位置し、この後蓋１６の後端部に位置する連結軸２２がガイド溝２６の上端部に位置し、かつピニオンギア１６ｃがガイド歯車２７の上端部に位置すると、前蓋１５と後蓋１６とが前下がりに傾斜した状態で平板状に配置される。これにより、鍵盤部７が前蓋１５と後蓋１６とによって覆われる。
【００６０】
このように、この電子鍵盤楽器によれば、楽器ケース１内に設けられた鍵盤部７とスピーカ１０との間に楽器ケース１の前後方向に傾動可能に設けられて、楽器ケース１内を鍵盤側空間Ｋ１とスピーカ側空間Ｋ２とに開閉可能に仕切る仕切板３０と、鍵盤蓋１３が鍵盤部７を露呈させた際に、鍵盤蓋１３の開位置に応じて仕切板３０を傾動させて鍵盤側空間Ｋ１とスピーカ側空間Ｋ２との間を開閉させる操作部材である操作突起部３５と、を備えていることにより、鍵盤蓋１３の開位置を変えるだけで、スピーカ側空間Ｋ２の音質を選択的に変化させることができる。
【００６１】
すなわち、この電子鍵盤楽器では、鍵盤蓋１３が開いて鍵盤部７を露呈させた際に、鍵盤蓋１３の開位置に応じて操作突起部３５が仕切板３０を傾動させることができるので、楽器ケース１内における鍵盤側空間Ｋ１とスピーカ側空間Ｋ２との間を開閉することができる。このため、仕切板３０によって鍵盤側空間Ｋ１とスピーカ側空間Ｋ２との間を塞いだ際に、スピーカ側空間Ｋ２を音響空間として形成することができるので、スピーカ側空間Ｋ２内で音質を高めることができる。
【００６２】
また、この電子鍵盤楽器では、鍵盤蓋１３の開位置に応じて操作突起部３５が仕切板３０を傾動させて、仕切板３０が鍵盤側空間Ｋ１とスピーカ側空間Ｋ２との間を開放した際に、鍵盤側空間Ｋ１に第１、第２の各放音路３８ａ、３８ｂを形成することができるので、これら第１、第２の各放音路３８ａ、３８ｂを通してスピーカ側空間Ｋ２内の音を楽器ケース１内から楽器ケース１の前側に向けて放音させることができ、これにより音質をフラットな状態の音質に変えることができる。
【００６３】
このため、この電子鍵盤楽器によれば、鍵盤蓋１３の開位置を変えるだけで、仕切板３０によって鍵盤側空間Ｋ１とスピーカ側空間Ｋ２との間を開閉することができるので、仕切板３０で鍵盤側空間Ｋ１とスピーカ側空間Ｋ２との間を仕切って塞いだ際に、スピーカ側空間Ｋ２を楽器ケース１内の音響空間として形成して音質を向上させることができる。
【００６４】
また、この電子鍵盤楽器では、仕切板３０が鍵盤側空間Ｋ１とスピーカ側空間Ｋ２との間を開放した際に、楽器ケース１内に第１、第２の各放音路３８ａ、３８ｂを形成して、スピーカ側空間Ｋ２内の音を楽器ケース１の前側に向けて放音させることができるので、簡単に音質を変化させることができる。
【００６５】
この場合、鍵盤蓋１３は、鍵盤部７を露呈させた第１露呈状態と、この第１露呈状態から更に鍵盤部７を露呈させた第２露呈状態と、に開放することにより、鍵盤部７を露呈させた際に、鍵盤蓋１３を楽器ケース１内に収納した第１収納状態（つまり第１露呈状態）と、この第１収納状態から更に鍵盤蓋１３が押し込まれた第２収納状態（つまり第２露呈状態）と、に収納することができ、この第１収納状態のときに、仕切板３０によって鍵盤側空間Ｋ１とスピーカ側空間Ｋ２との間を仕切って塞ぐことができ、また第２収納状態のきに、仕切板３０を傾動させて鍵盤側空間Ｋ１とスピーカ側空間Ｋ２との間を開放することができる。
【００６６】
また、操作部材である操作突起部３５は、鍵盤蓋１３が鍵盤部７を第１露呈状態（つまり第１収納状態）で露呈させた際に、鍵盤蓋１３の開動作に伴って仕切板３０を傾動させず、仕切板３０によって鍵盤側空間Ｋ１とスピーカ側空間Ｋ２との間を閉状態に維持させ、鍵盤蓋１３が鍵盤部７を第２露呈状態（つまり第２収納状態）で露呈させた際に、鍵盤蓋１３の開動作に伴って仕切板３０を傾動させ、鍵盤側空間Ｋ１とスピーカ側空間Ｋ２との間を開放する開状態に切り替えることにより、鍵盤蓋１３の開位置に応じて鍵盤側空間Ｋ１とスピーカ側空間Ｋ２との間を確実にかつ良好に開閉することができる。
【００６７】
この場合、この電子鍵盤楽器では、楽器ケース１内に仕切板３０を前後方向に回転可能に支持する一対の支持軸３１と、鍵盤側空間Ｋ１とスピーカ側空間Ｋ２とを塞ぐ位置に向けて仕切板３０を付勢する付勢部材であるばね部材３２とを備えていることにより、一対の支持軸３１を中心に仕切板３０を円滑にかつ良好に回転させて傾動させることができると共に、ばね部材３２によって鍵盤側空間Ｋ１とスピーカ側空間Ｋ２との間を塞ぐ位置に向けて仕切板３０を確実に付勢することができ、これにより鍵盤側空間Ｋ１とスピーカ側空間Ｋ２との間を仕切板３０によって良好に開閉することができる。
【００６８】
また、鍵盤蓋１３は、前蓋１５と後蓋１６とが蝶番１７によって折り曲げ可能に連結され、楽器ケース１内にスライド可能に設けられていることにより、前蓋１５と後蓋１６とを蝶番１７で折り曲げて展開することにより、鍵盤部７を確実にかつ良好に覆うことができ、また鍵盤蓋１３を楽器ケース１内に収納する際に、前蓋１５と後蓋１６とを蝶番１７で折り曲げて、楽器ケース１内にコンパクトに収納することができるので、楽器ケース１全体をコンパクトに構成することができる。
【００６９】
この場合、鍵盤蓋１３は、蓋ガイド部１４によってガイドされる構成であるから、鍵盤蓋１３が鍵盤部７の上側に配置された際に、蓋ガイド部１４によって前蓋１５と後蓋１６とを蝶番１７で折り曲げて平板状に配置させることができ、また鍵盤蓋１３が鍵盤部７を上側に開放した際に、蓋ガイド部１４によって前蓋１５と後蓋１６とを蝶番１７で折り曲げ、この折り曲げられた後蓋１６を鍵盤部７と仕切板３０との間に配置させることができ、これにより鍵盤蓋１３を円滑にガイドすることができると共に、後蓋１６を鍵盤部７と仕切板３０との間に確実にかつ良好に配置させることができる。
【００７０】
すなわち、蓋ガイド部１４は、ガイドレール部１８とガイド部材１９とを有し、このガイドレール部１８が一対の側板５の内面に前板３の上側から天板６の中間部の下側に向けて斜め上方に傾斜して設けられて、前蓋１５のガイド軸１５ａと後蓋１６のガイド軸１６ａとをそれぞれ前後方向にガイドし、ガイド部材１９は、鍵盤部７の後端部の上部付近に位置する箇所の側板５の内面に設けられた支持軸２０を中心にアーム部２１が上下方向に回転して後蓋１６の軸取付板１６ｃの連結軸２２を上下方向にガイドする構成であるから、前蓋１５と後蓋１６とを蝶番１７で折り曲げながら、鍵盤蓋１３を円滑にガイドすることができる。
【００７１】
この場合、蓋ガイド部１４のガイドレール部１８には、鍵盤蓋１３が楽器ケース１内に収納されて前蓋１５の前端部が天板６の前端部の下側に位置した第１収納状態のときに、前蓋１５のガイド軸１５ａを位置規制する軸規制部３７が設けられていることにより、鍵盤蓋１３が楽器ケース１内に収納されて前蓋１５の前端部が天板６の前端部の下側に位置した第１収納状態のときに、ガイドレール部１８の軸規制部３７によって前蓋１５のガイド軸１５ａを位置規制することができ、これにより鍵盤側空間Ｋ１とスピーカ側空間Ｋ２との間を塞いだ閉状態に仕切板３０を確実にかつ良好に位置規制することができる。
【００７２】
さらに、操作部材である操作突起部３５は、鍵盤蓋１３の前蓋１５の後端部に設けられ、鍵盤蓋１３が楽器ケース１内に収納された第１収納状態から第２収納状態に収納される際に、仕切板３０を押圧して傾動させることにより、鍵盤側空間Ｋ１とスピーカ側空間Ｋ２との間を開放させる構成であるから、鍵盤蓋１３が楽器ケース１内に第１収納状態で収納された際に、操作突起部３６が仕切板３０に接近または接触するだけで、仕切板３０を傾動させず、仕切板３０によって鍵盤側空間Ｋ１とスピーカ側空間Ｋ２との間の閉状態を確実に維持させることができる。
【００７３】
また、この鍵盤蓋１３では、楽器ケース１内に鍵盤蓋１３が第１収納状態で収納された状態で、鍵盤蓋１３が楽器ケース１内に更に押し込まれた第２収納状態のときに、操作突起部３６が仕切板３０の上端部を押圧して仕切板３０をばね部材３２のばね力に抗して回転させて傾けることができ、これにより確実にかつ良好に鍵盤側空間Ｋ１とスピーカ側空間Ｋ２との間を開放する開状態に切り替えることができる。
【００７４】
（第２実施形態）
次に、図４〜図６を参照して、この発明を電子鍵盤楽器に適用した第２実施形態について説明する。なお、図１〜図３に示された第１実施形態と同一部分には同一符号を付して説明する。
この電子鍵盤楽器は、図４〜図６に示すように、鍵盤蓋４０と蓋ガイド部４１とが第１実施形態と異なる構成であり、これ以外は第１実施形態とほぼ同じ構成になっている。
【００７５】
すなわち、鍵盤蓋４０は、図４〜図６に示すように、鍵盤部７の上方に配置されて鍵盤部７を覆う大きさの１枚の平板で形成されている。この鍵盤蓋４０の前端部には、一対の側板５の各内面に向けてそれぞれ突出する前側ガイド軸４２が支持部４３を介して取り付けられている。また、この鍵盤蓋４０の後端部の両側には、取付板４４がそれぞれ設けられている。
【００７６】
蓋ガイド部４１は、図４〜図６に示すように、鍵盤蓋４０が鍵盤部７の上側を覆った際に鍵盤蓋４０を前下がりに傾斜させた状態で配置させ、かつ鍵盤蓋４０が鍵盤部７を上側に開放した際に鍵盤蓋４０を天板６とほぼ平行な状態で鍵盤部７の後部と仕切板３０との間に配置させるように構成されている。この場合にも、蓋ガイド部４１は、ガイドレール部４５とガイド部材４６とを有している。
【００７７】
ガイドレール部４５は、図４〜図６に示すように、一対の側板５の内面に前板３の上側から天板６の下側に向けて斜め上方に傾斜して設けられ、鍵盤蓋４０の前側ガイド軸４２を前後方向に傾斜させながらガイドするように構成されている。これにより、ガイドレール部４５は、図４に示すように、鍵盤蓋４０が鍵盤部７の上側を覆った際に、前側ガイド軸４２がガイドレール部４５の前端部に位置し、図５および図６に示すように、鍵盤蓋４０が鍵盤部７の上側を開放した際に、前側ガイド軸４２がガイドレール部４５の後端部側に位置するように構成されている。
【００７８】
ガイド部材４６は、図４〜図６に示すように、鍵盤蓋４０の後端部の取付板４４に回転可能に取り付けられた後側ガイド軸４７と、この後側ガイド軸４７に取り付けられたピニオンギア４８と、一対の側板５の内面に設けられて後側ガイド軸４７およびピニオンギア４８を天板６とほぼ平行な状態でガイドするガイド板４９とを備えている。
【００７９】
このガイド板４９は、図４〜図６に示すように、コンソールパネル１２の上側から仕切板３０までの間に位置する箇所に配置されている。この場合、ガイド板４９は、鍵盤蓋４０の後端部に位置する後側ガイド軸４７をガイドするガイド溝５０と、後側ガイド軸４７に取り付けられたピニオンギア４８が噛合った状態でピニオンギア４８をガイドするラックギア５１とを備えている。
【００８０】
これにより、蓋ガイド部４１は、図４に示すように、鍵盤蓋４０が鍵盤部７の上側を覆って閉じた際に、鍵盤蓋４０の前側ガイド軸４２をガイドレール部４５の前端部に位置させ、鍵盤蓋４０の後側ガイド軸４７をガイド板４９のガイド溝５０の前端部に位置させると共に、後側ガイド軸４７のピニオンギア４８をガイド板４９のラックギア５１の前端部に位置させることにより、鍵盤蓋４０を前下がりに傾斜させた状態で平板状に配置するように構成されている。
【００８１】
また、この蓋ガイド部４１は、図５に示すように、鍵盤蓋４０が開いて鍵盤部７を上側に開放した際に、鍵盤蓋４０の前側ガイド軸４２をガイドレール部４５の後端部に位置させ、鍵盤蓋４０の後側ガイド軸４７をガイド板４９のガイド溝５０の後端部に位置させると共に、後側ガイド軸４７のピニオンギア４８をガイド板４９のラックギア５１の後端部に位置させることにより、鍵盤蓋４０を天板６とほぼ平行な状態で鍵盤部７の後部とスピーカ１０との間に配置させるように構成されている。
【００８２】
この場合にも、楽器ケース１内には、図５および図６に示すように、仕切板３０が鍵盤部７の後方に位置するガイド板４９の後端部とスピーカ１０との間に位置した状態で配置されている。この仕切板３０は、第１実施形態と同様、一対の支持軸３１によって前後方向（図４では左右方向）に回転可能に取り付けられている。これにより、仕切板３０は、鍵盤側空間Ｋ１とスピーカ側空間Ｋ２との間を開閉するように構成されている。
【００８３】
また、この仕切板３０も、図４〜図６に示すように、ばね部材３２のばね力によって鍵盤側空間Ｋ１とスピーカ側空間Ｋ２との間を仕切って塞ぐ位置に向けて付勢されている。この場合にも、楽器ケース１における天板６の下面には、仕切板３０の回転位置を規制する位置規制部３４が設けられている。この位置規制部３４は、仕切板３０が鍵盤側空間Ｋ１とスピーカ側空間Ｋ２との間を仕切って塞いだ状態のときに、仕切板３０の上端部が当接することにより、仕切板３０の回転位置を規制するように構成されている。
【００８４】
さらに、鍵盤蓋４０には、図４〜図６に示すように、鍵盤蓋４０が鍵盤部７を露呈させた際に、鍵盤蓋４０の開位置に応じて仕切板３０をばね部材３２のばね力に抗して押圧して傾動させることにより、鍵盤側空間Ｋ１とスピーカ側空間Ｋ２との間を開閉する操作部材である操作突起部５２が設けられている。この操作突起部５２は、鍵盤蓋４０の後端部から後方に向けて突出して設けられている。
【００８５】
この場合、鍵盤蓋４０は、図５および図６に示すように、鍵盤部７を露呈させた第１露呈状態と、この第１露呈状態から更に鍵盤部７を露呈させた第２露呈状態と、に開放するように構成されている。これにより、鍵盤蓋４０は、鍵盤部７を第１露呈状態で露呈させた際に、鍵盤蓋４０が楽器ケース１内に収納された第１収納状態と、鍵盤部７を第２露呈状態で露呈させた際に、第１収納状態から更に鍵盤蓋４０が押し込まれた第２収納状態と、に収納されるように構成されている。
【００８６】
また、この鍵盤蓋４０は、図４〜図６に示すように、鍵盤部７を第１露呈状態で露呈させて楽器ケース１内に第１収納状態で収納された際に、操作突起部５２によって仕切板３０が鍵盤側空間Ｋ１とスピーカ側空間Ｋ２との間を塞いだ閉状態と、鍵盤部７を第２露呈状態で露呈させて楽器ケース１内に第１収納状態から更に収納された第２収納状態で収納された際に、操作突起部５２によって仕切板３０が鍵盤側空間Ｋ１とスピーカ側空間Ｋ２との間を開放する開状態と、に切り替えるように構成されている。
【００８７】
この場合にも、鍵盤蓋４０は、図５に示すように、楽器ケース１内に収納されて鍵盤蓋４０の前端部が天板６の前端部よりも少し前側に位置した第１収納状態のときに、前側ガイド軸４２がガイドレール部４５に設けられた凹部状の軸規制部４５ａに位置規制されることにより、後側ガイド軸４７がガイド溝５０の後端部よりも少し前側に位置すると共に、ピニオンギア４８がラックギア５１の後端部よりも少し前側に位置するように構成されている。
【００８８】
また、この鍵盤蓋４０は、図６に示すように、楽器ケース１内に収納された第１収納状態から更に押し込まれた第２収納状態（つまり第２露呈状態）のときに、鍵盤蓋４０の前端部が天板６の下側に位置して、前側ガイド軸４２がガイドレール部４５の後端部に位置し、後側ガイド軸４７がガイド溝５０の後端部に当接すると共に、ピニオンギア４８がラックギア５１の後端部に当接することにより、位置規制されるように構成されている。
【００８９】
これにより、操作突起部５２は、図５に示すように、鍵盤蓋４０が楽器ケース１内に収納されて、前側ガイド軸４２がガイドレール部４５の軸規制部４５ａに位置規制された第１収納状態のときに、仕切板３０の前側上部に接近または接触するように構成されている。このため、仕切板３０は、鍵盤蓋４０の開動作に伴って操作突起部５２が移動しても、この操作突起部５２によって傾動せず、鍵盤側空間Ｋ１とスピーカ側空間Ｋ２との間を塞いだ閉状態を維持し、スピーカ側空間Ｋ２を音響空間として形成するように構成されている。
【００９０】
また、この操作突起部５２は、図６に示すように、鍵盤蓋１３が楽器ケース１内に収納されて、第１収納状態から更に楽器ケース１内に押し込まれた第２収納状態のときに、仕切板３０の前側上部を押圧して、仕切板３０をばね部材３２のばね力に抗して傾動させるように構成されている。これにより、仕切板３０は、一対の支持軸３１を中心に傾動して後方に傾くことにより、鍵盤側空間Ｋ１とスピーカ側空間Ｋ２との間を開放する開状態に切り替えるように構成されている。
【００９１】
この場合、仕切板３０は、図６に示すように、鍵盤側空間Ｋ１とスピーカ側空間Ｋ２との間を開放する開状態に切り替わった際に、仕切板３０の上端部と天板６の下面との間に第１放音路５３ａを形成すると共に、仕切板３０の下端部と底板３の上面との間に第２放音路５３ｂを形成するように構成されている。
【００９２】
この場合、第１放音路５３ａは、図６に示すように、仕切板３０の上端部と天板６の下面との間に形成された隙間と、鍵盤蓋４０の上面と天板６の下面との間に形成された隙間とによって、鍵盤蓋４０の上側に形成され、スピーカ側空間Ｋ２内の音を楽器ケース１内の上側から楽器ケース１の前側に向けて放音させるように構成されている。
【００９３】
また、第２放音路５３ｂは、図６に示すように、仕切板３０の下端部と底板３の上面との間に形成された隙間と、鍵盤部７の複数の鍵９の各隙間とによって、楽器ケース１内の下部側に形成され、スピーカ側空間Ｋ２内の音を楽器ケース１内の下部側から楽器ケース１の前側に向けて放音させるように構成されている。
【００９４】
次に、このような電子鍵盤楽器の作用について説明する。
この電子鍵盤楽器で演奏をする場合には、まず、鍵盤蓋４０を開いて鍵盤部７を上側に開放させる。このときには、鍵盤蓋４０の前端部を持ち上げて後方に向けて移動させる。すると、前側ガイド軸４２がガイドレール部４５に沿って後方に移動し、かつ鍵盤蓋４０の後端部の後側ガイド軸４７がガイド板４９のガイド溝５０に沿って後方に移動すると共に、ピニオンギア４８がラックギア５１に噛み合って回転しながら後方に移動する。これにより、鍵盤蓋４０は鍵盤部７と仕切板３０との間に向けて移動する。
【００９５】
そして、鍵盤蓋４０が楽器ケース１の天板６の下側に配置されて、前側ガイド軸４２がガイドレール部４５の軸規制部４５ａに位置規制されると、図５に示すように、鍵盤蓋４０が楽器ケース１内に第１収納状態で収納され、鍵盤部７が第１露呈状態で楽器ケース１の上側に露呈する。
【００９６】
このときには、図５に示すように、鍵盤蓋４０の後端部に位置する後側ガイド軸４７がガイド板４９のガイド溝５０の後端部よりも少し前側に位置すると共に、ピニオンギア４８がラックギア５１の後端部よりも少し前側に位置し、この状態で鍵盤蓋４０が鍵盤部７の後部と仕切板３０との間に配置される。
【００９７】
また、このときには、図５に示すように、鍵盤蓋４０の操作突起部５２が仕切板３０に接近または接触する。このため、仕切板３０は、操作突起部５２によって押されることがなく、一対の支持軸３１を中心に回転しないため、傾動することがない。これにより、仕切板３０は、ばね部材３２のばね力によって位置規制部３４に当接した状態を維持するので、鍵盤側空間Ｋ１とスピーカ側空間Ｋ２との間を塞いだ閉状態を維持する。
【００９８】
このため、スピーカ側空間Ｋ２が楽器ケース１内に音響空間として形成される。この状態では、鍵盤部７が上方に開放されて複数の鍵９が上側に露呈するので、演奏が可能な状態になる。この状態で、楽器ケース１の前部側から上側に露呈した鍵盤部７の複数の鍵９を押鍵操作して演奏すると、その押鍵操作に応じた音高の楽音をスピーカ１０が発生する。
【００９９】
このスピーカ１０で発生した楽音のうち、高音側の音は、楽器ケース１の底板２に設けられた放音孔２ａから楽器ケース１の下側に向けて放音される。また、低音側の音は、楽器ケース１のスピーカ側空間Ｋ２内に放音される。この低音側の音は、仕切板３０によってスピーカ側空間Ｋ２が音響空間になっているので、このスピーカ側空間Ｋ２内で音質が高められる。
【０１００】
一方、スピーカ１０で発生した音の音質を変える場合には、図６に示すように、第１収納状態の鍵盤蓋４０を楽器ケース１内に向けて更に押し込み、鍵盤蓋４０の前端部を天板６の下側に位置させる。このときには、鍵盤蓋４０の前側ガイド軸４２がガイドレール部４５の軸規制部４５ａを乗り越え、鍵盤蓋４０の前側ガイド軸４２がガイドレール部４５の後端部に位置し、後側ガイド軸４７がガイド溝５０の後端部に位置すると共に、ピニオンギア４８がラックギア５１の後端部に位置する。
【０１０１】
これにより、鍵盤蓋４０が第１収納状態から更に楽器ケース１内に押し込まれた第２収納状態になり、鍵盤部７が第２露呈状態で楽器ケース１の上側に露呈する。このときには、図６に示すように、鍵盤蓋４０の後端部に設けられた操作突起部５２が仕切板３０の上端部を押圧して、仕切板３０をばね部材３２のばね力に抗して回転させて傾ける。これにより、仕切板３０は、鍵盤側空間Ｋ１とスピーカ側空間Ｋ２との間を開放する開状態に切り替わる。
【０１０２】
すなわち、仕切板３０は、ばね部材３２のばね力に抗して一対の支持軸３１を中心に回転すると、図６に示すように、後方に向けて傾き、鍵盤側空間Ｋ１とスピーカ側空間Ｋ２との間を開放する。これにより、仕切板３０の上端部と天板６の下面との間に第１放音路５３ａが形成されると共に、仕切板３０の下端部と底板３の上面との間に第２放音路５３ｂが形成される。
【０１０３】
この状態で、楽器ケース１の前部側から上側に露呈した鍵盤部７の複数の鍵９を押鍵操作して演奏すると、その押鍵操作に応じた音高の楽音をスピーカ１０が発生する。このスピーカ１０で発生した楽音のうち、高音側の音は、楽器ケース１の下側に向けて放音される。また、低音側の音は、楽器ケース１のスピーカ側空間Ｋ２内に放音される。このスピーカ側空間Ｋ２内に放音された低音側の音は、第１放音路５３ａと第２放音路５３ｂとを通して楽器ケース１の前側に向けて放音されるので、音質がフラットな状態の音質に変化する。
【０１０４】
すなわち、第１放音路５３ａは、仕切板３０の上端部と天板６の下面との間に形成された隙間と、鍵盤蓋４０の上面と天板６の下面との間に形成された隙間とによって、鍵盤蓋４０の上側に形成されていることにより、スピーカ側空間Ｋ２内の音が楽器ケース１内の上側から楽器ケース１の前側に向けて放音される。
【０１０５】
また、第２放音路５３ｂは、仕切板３０の下端部と底板３の上面との間に形成された隙間と、鍵盤部７の複数の鍵９の各隙間とによって、楽器ケース１内の下部側に形成されていることにより、スピーカ側空間Ｋ２内の音が楽器ケース１内の下部側から楽器ケース１の前側に向けて放音される。これにより、スピーカ側空間Ｋ２内の音質がフラットな状態の音質に変化して放音される。
【０１０６】
一方、演奏をしないときには、鍵盤蓋４０を閉じて鍵盤部７を覆う。このときには、鍵盤蓋４０の前端部を楽器ケース１の前側に向けて引き出す。すると、鍵盤蓋４０の前側ガイド軸４２がガイドレール部４５に沿って前側に移動し、鍵盤蓋４０の後側ガイド軸４７がガイド部材４６のガイド溝５０に沿って前側に移動すると共に、ピニオンギア４８がラックギア５１に噛み合って前側に移動する。
【０１０７】
そして、鍵盤蓋４０の前側ガイド軸４２がガイドレール部４５の軸規制部４５ａに位置規制されると、図５に示すように、鍵盤蓋４０の前端部が天板６の前端部よりも少し前側に位置し、鍵盤蓋４０の後端部がガイド部材４６の後端部よりも少し前側に位置する第１収納状態になる。このときには、鍵盤蓋４０の操作突起部５２が仕切板３０の前面に接近または接触する状態になる。このため、仕切板３０は、ばね部材３２のばね力によって一対の支持軸３１を中心に反時計回りに回転して鍵盤側空間Ｋ１とスピーカ側空間Ｋ２との間を塞ぐ。
【０１０８】
この状態で、鍵盤蓋４０を更に楽器ケース１の前側に引き出し、鍵盤蓋４０の前側ガイド軸４２が楽器ケース１の前板３上に位置するガイドレール部４５の前端部に位置し、後側ガイド軸４７がガイド板４９のガイド溝５０の前端部に位置し、かつピニオンギア４８がラックギア５１の前端部に位置すると、鍵盤蓋４０が前下がりに傾斜した状態で配置される。これにより、鍵盤部７が鍵盤蓋４０によって覆われる。
【０１０９】
このように、この電子鍵盤楽器によれば、鍵盤蓋４０が開いて鍵盤部７を露呈させた際に、鍵盤蓋４０の開位置に応じて操作部材である操作突起部５２が仕切板３０を傾動させることができるので、第１実施形態と同様、楽器ケース１内における鍵盤側空間Ｋ１とスピーカ側空間Ｋ２との間を開閉することができる。このため、仕切板３０によって鍵盤側空間Ｋ１とスピーカ側空間Ｋ２との間を塞いだ際に、スピーカ側空間Ｋ２を音響空間として形成することができるので、音質を高めることができる。
【０１１０】
また、この電子鍵盤楽器では、鍵盤蓋４０の開位置に応じて操作突起部５２が仕切板３０を傾動させて、鍵盤側空間Ｋ１とスピーカ側空間Ｋ２との間を開放した際に、鍵盤側空間Ｋ１に第１、第２の各放音路５３ａ、５３ｂを形成することができるので、これら第１、第２の各放音路５３ａ、５３ｂを通してスピーカ側空間Ｋ２内の音を楽器ケース１内から楽器ケース１の前側に向けて放音させることができ、これにより音質をフラットな状態の音質に変えることができる。
【０１１１】
このため、この電子鍵盤楽器においても、鍵盤蓋４０の開位置を変えるだけで、仕切板３０によって鍵盤側空間Ｋ１とスピーカ側空間Ｋ２との間を開閉することができるので、仕切板３０で鍵盤側空間Ｋ１とスピーカ側空間Ｋ２との間を仕切って塞いだ際に、スピーカ側空間Ｋ２を楽器ケース１内の音響空間として形成して音質を向上させることができる。
【０１１２】
また、この電子鍵盤楽器においても、仕切板３０が鍵盤側空間Ｋ１とスピーカ側空間Ｋ２との間を開放した際に、楽器ケース１内に第１、第２の各放音路５３ａ、５３ｂを形成して、スピーカ側空間Ｋ２内の音を楽器ケース１の前側に向けて放音させることができるので、簡単に音質を変化させることができる。
【０１１３】
この場合、鍵盤蓋４０は、鍵盤部７を露呈させた第１露呈状態と、この第１露呈状態から更に鍵盤部７を露呈させた第２露呈状態と、に開放されることにより、鍵盤部７を露呈させた際に、鍵盤蓋４０を楽器ケース１内に収納した第１収納状態と、この第１収納状態から更に押し込まれた第２収納状態と、に収納することができ、この第１収納状態のときに仕切板３０によって鍵盤側空間Ｋ１とスピーカ側空間Ｋ２との間を仕切って塞ぐことができ、また第２収納状態のときに仕切板３０を傾動させて鍵盤側空間Ｋ１とスピーカ側空間Ｋ２との間を開放することができる。
【０１１４】
また、操作部材である操作突起部５２は、鍵盤蓋４０が鍵盤部７を第１露呈状態（つまり第１収納状態）で露呈させた際に、鍵盤蓋４０の開動作に伴って仕切板３０を傾動させず、仕切板３０によって鍵盤側空間Ｋ１とスピーカ側空間Ｋ２との間を閉状態に維持させ、また鍵盤蓋４０が鍵盤部７を第２露呈状態（つまり第２収納状態）で露呈させた際に、鍵盤蓋４０の開動作に伴って仕切板３０を傾動させて、鍵盤側空間Ｋ１とスピーカ側空間Ｋ２との間を開放する開状態に切り替えることにより、鍵盤蓋４０の開位置に応じて鍵盤側空間Ｋ１とスピーカ側空間Ｋ２との間を確実にかつ良好に開閉することができる。
【０１１５】
また、この電子鍵盤楽器では、鍵盤蓋４０が１枚の平板で形成されていることにより、簡単な構造で、鍵盤部７を鍵盤蓋４０によって確実にかつ良好に覆うことができる共に、鍵盤蓋４０を楽器ケース１内に容易にかつ良好に収納することができる。この場合、鍵盤蓋４０をガイドする蓋ガイド部４１は、鍵盤蓋４０が鍵盤部７の上側に配置された際に、鍵盤蓋４０を前下がりに傾斜させた状態で平板状に配置させ、かつ鍵盤蓋４０が鍵盤部７を上側に開放した際に、鍵盤蓋４０を楽器ケース１の天板６とほぼ平行な状態で鍵盤部７の後部と仕切板３０との間に配置させるので、鍵盤蓋４０を円滑にガイドすることができる。
【０１１６】
すなわち、鍵盤蓋４０は、蓋ガイド部４１によってガイドされるように構成され、この蓋ガイド部４１がガイドレール部４５とガイド部材４６とを有し、このガイドレール部４５が一対の側板５の内面に前板３の上側から後板４に向けて斜め上方に傾斜して設けられて、鍵盤蓋４０の前側ガイド軸４２を前後方向にガイドし、ガイド部材４６が鍵盤部７の後端部の上方から鍵盤部７の後部と仕切板３０との間に設けられたガイド板４９によって鍵盤蓋４０の後端部を前後方向にガイドする構成であるから、鍵盤蓋４０を円滑にガイドすることができる。
【０１１７】
この場合にも、蓋ガイド部４１のガイドレール部４５には、鍵盤蓋４０が楽器ケース１内に収納されて鍵盤蓋４０の前端部が天板６の前端部よりも前側に位置した第１収納状態のときに、鍵盤蓋４０の前側ガイド軸４２を位置規制する軸規制部４５ａが設けられていることにより、鍵盤蓋４０が楽器ケース１内に収納された第１収納状態のときに、ガイドレール部４５の軸規制部４５ａによって鍵盤蓋４０の前側ガイド軸４２を位置規制することができ、これにより鍵盤側空間Ｋ１とスピーカ側空間Ｋ２との間を塞いだ閉状態に仕切板３０を確実にかつ良好に位置規制することができる。
【０１１８】
さらに、操作部材である操作突起部５２は、鍵盤蓋４０の後端部に設けられ、鍵盤蓋４０が楽器ケース１内に収納された第１収納状態から第２収納状態に収納される際に、仕切板３０を押圧して傾動させることにより、鍵盤側空間Ｋ１とスピーカ側空間Ｋ２との間を開放させる構成であるから、鍵盤蓋４０が楽器ケース１内に第１収納状態で収納された際に、操作突起部５２を仕切板３０に接近または接触させるだけで、仕切板３０によって鍵盤側空間Ｋ１とスピーカ側空間Ｋ２との間の閉状態を確実に維持することができる。
【０１１９】
また、この鍵盤蓋４０では、楽器ケース１内に鍵盤蓋４０が第１収納状態で収納された状態で、鍵盤蓋４０が楽器ケース１内に更に押し込まれた第２収納状態のときに、操作突起部５２が仕切板３０の上端部を押圧して仕切板３０をばね部材３２のばね力に抗して回転させて傾けることができ、これにより確実にかつ良好に鍵盤側空間Ｋ１とスピーカ側空間Ｋ２との間を開放する開状態に切り替えることができる。
【０１２０】
（第３実施形態）
次に、図７および図８を参照して、この発明を電子鍵盤楽器に適用した第３実施形態について説明する。この場合にも、図１〜図３に示された第１実施形態と同一部分には同一符号を付して説明する。
この電子鍵盤楽器は、図７および図８に示すように、鍵盤側空間Ｋ１とスピーカ側空間Ｋ２との間を開閉可能に仕切る仕切板３０にスピーカ１０を設けた構成で、かつ天板部６０が第１実施形態と異なる構成である。これ以外は、第１実施形態とほぼ同じ構成になっている。
【０１２１】
この場合、仕切板３０は、第１実施形態と同様、楽器ケース１内における鍵盤部７とスピーカ１０との間に位置した状態で、一対の支持軸３１によって前後方向（図７では左右方向）に回転可能に取り付けられている。これにより、仕切板３０は、一対の支持軸３１を中心に前後方向に傾動することにより、鍵盤側空間Ｋ１とスピーカ側空間Ｋ２との間を開閉するように構成されている。
【０１２２】
また、この仕切板３０は、第１実施形態と同様、ばね部材３２のばね力によって鍵盤側空間Ｋ１とスピーカ側空間Ｋ２との間を仕切って塞ぐ位置に向けて付勢されている。この場合、楽器ケース１における天板６の下面には、仕切板３０の回転位置を規制する位置規制部３４が設けられている。この位置規制部３４は、仕切板３０が鍵盤側空間Ｋ１とスピーカ側空間Ｋ２との間を仕切って塞いだ状態のときに、仕切板３０の上端部が当接することにより、仕切板３０の回転位置を規制するように構成されている。
【０１２３】
さらに、この仕切板３０は、第１実施形態と同様、その上下方向の長さが天板６の下面と底板２の上面との間の長さとほぼ同じ長さで、鍵盤部７の鍵配列方向の長さが一対の側板５間の長さとほぼ同じ長さに形成されている。この仕切板３０の両側部、つまり鍵盤部７の鍵配列方向（図７では紙面の表裏面方向）における両側部には、図７および図８に示すように、放音孔３０ｂがそれぞれ設けられている。
【０１２４】
この仕切板３０の後面、つまりスピーカ側空間Ｋ２側に位置する仕切板３０の後面（図７では右側面）には、図７および図８に示すように、スピーカ１０が各放音孔３０ｂにそれぞれ対応して設けられている。これにより、スピーカ１０は、高音側の音を仕切板３０の放音孔３０ｂから鍵盤側空間Ｋ１に向けて放音し、低音側の音をスピーカ側空間Ｋ２内に放音するように構成されている。
【０１２５】
ところで、この楽器ケース１の天板部６０は、図７および図８に示すように、天板６１が一対の側板５の前側上部に設けられている。これにより、楽器ケース１は、天板６１の後部側が開放された構成になっている。この天板６１の前端下部には、下り壁６１ａが設けられており、この天板６１の後部下側には、補助天板６２が配置されている。この補助天板６２は、天板６１の下側から後板４の内面に亘って配置され、この状態で取付金具６３によって側板５の内面に取り付けられている。
【０１２６】
この補助天板６２には、図７および図８に示すように、放音孔６２ａが設けられている。また、この補助天板６２上には、放音蓋６４が開閉可能に配置されている。この放音蓋６４は、天板６１とほぼ同じ厚みで形成され、補助天板６２上に配置された際に、その上面が天板６１の上面と同じ平面になるように形成されている。また、この放音蓋６４は、その後端部が後板４の上端後部に蝶番６５によって回転可能に取り付けられている。
【０１２７】
これにより、放音蓋６４は、図７および図８に２点鎖線で示すように、蝶番６５を中心に反時計回りに回転して補助天板６２上に配置された際に、補助天板６２の放音孔６２ａを塞ぐように構成されている。また、この放音蓋６４は、図７および図８に実線で示すように、蝶番６５を中心に時計回りに回転して補助天板６２上に傾斜した状態で配置された際に、補助天板６２の放音孔６２ａを開放するように構成されている。
【０１２８】
この場合、放音蓋６４は、図７および図８に示すように、補助天板６２上に傾斜した状態で起立して配置された際に、支持装置６６によって支持されるように構成されている。この支持装置６６は、放音蓋６４の下面に設けられた金具収納部６４ａ内の前部に回転可能に取り付けられた支持部材６７と、この支持部材６７の下部をガイドして保持するガイド保持部６８とを備えている。
【０１２９】
支持部材６７は、図７および図８に示すように、丸棒状に形成され、その上部が鍵盤部７の鍵配列方向に折り曲げられ、この折り曲げられた上部６７ａが放音蓋６４の金具収納部６４ａ内に取付板６９によって回転可能に取り付けられている。また、支持部材６７は、その下部が鍵盤部７の鍵配列方向に折り曲げられ、この折り曲げられた下部６７ｂがガイド保持部６８によってガイドされるように構成されている。
【０１３０】
ガイド保持部６８は、図７および図８に示すように、帯板状に形成され、その両端部がＬ字状に折り曲げられ、この折り曲げられた両端部が補助天板６２上に楽器ケース１の前後方向に位置する状態で取り付けられている。これにより、ガイド保持部６８は、これと補助天板６２との間に支持部材６７の下部６７ｂが移動可能に挿入され、この挿入された支持部材６７の下部６７ｂが前側の端部に当接することにより、支持部材６７を起立させた状態で保持するように構成されている。
【０１３１】
これにより、支持装置６６は、図７および図８に２点鎖線で示すように、放音蓋６４が補助天板６２上に配置された際に、支持部材６７の上部６７ａがガイド保持部６８の前端部の前側に位置し、支持部材６７の下部６７ｂがガイド保持部６８の後端部に位置した状態で、支持部材６７が横倒し、この状態で支持部材６７とガイド保持部６８とが放音蓋６４の金具収納部６４ａ内に収納されるように構成されている。
【０１３２】
また、この支持装置６６は、図７および図８に実線で示すように、放音蓋６４を補助天板６２の上方に押し上げて起立させる際に、支持部材６７の上部６７ａを中心に支持部材６７が回転しながら、支持部材６７の下部６７ｂがガイド保持部６８に沿って後部側から前部側に向けて移動し、この移動した支持部材６７の下部６７ｂがガイド保持部６８の前端部に当接することにより、支持部材６７を起立させた状態で保持し、この支持部材６７が放音蓋６４を補助天板６２上に前上がりに傾斜させて支持するように構成されている。
【０１３３】
次に、このような電子鍵盤楽器の作用について説明する。
この電子鍵盤楽器で演奏する場合には、予め、放音蓋６４を補助天板６２上に配置させて補助天板６２の放音孔６２ａを塞ぐ。この状態で、第１実施形態と同様、鍵盤蓋１３を開いて鍵盤部７を上側に開放させる。
【０１３４】
そして、前蓋１５が楽器ケース１の天板６の下側に配置されて、前蓋１５のガイド軸１５ａがガイドレール部１８の軸規制部３７に位置規制されると、図７に示すように、鍵盤蓋１３が楽器ケース１内に第１収納状態で収納され、鍵盤部７が第１露呈状態で楽器ケース１の上側に露呈する。
【０１３５】
このときには、前蓋１５の操作突起部３５が仕切板３０に接近または接触する。このため、仕切板３０は、操作突起部３５によって押圧されることがないので、傾動せず、ばね部材３２のばね力によって鍵盤側空間Ｋ１とスピーカ側空間Ｋ２との間を塞いだ閉状態を維持する。これにより、スピーカ側空間Ｋ２が楽器ケース１内に音響空間として形成される。
【０１３６】
この状態では、鍵盤部７が上方に開放されて複数の鍵９が上側に露呈するので、演奏が可能な状態になる。この状態で、楽器ケース１の前部側から上側に露呈した鍵盤部７の複数の鍵９を押鍵操作して演奏すると、その押鍵操作に応じた音高の楽音をスピーカ１０が発生する。
【０１３７】
このスピーカ１０で発生した楽音のうち、高音側の音は、仕切板３０の放音孔３０ｂから楽器ケース１内の鍵盤側空間Ｋ１内に放音され、この鍵盤側空間Ｋ１内に放音された音が楽器ケース１の前側に向けて放音される。また、低音側の音は、スピーカ側空間Ｋ２内に放音される。このときには、補助天板６２の放音孔６２ａが放音蓋６４で塞がれ、仕切板３０によってスピーカ側空間Ｋ２が音響空間になっているので、このスピーカ側空間Ｋ２内で音質が高められる。
【０１３８】
この状態で、放音蓋６４を開いて補助天板６２の放音孔６２ａを開放した場合には、高音側の音は、仕切板３０の放音孔３０ｂから楽器ケース１内の鍵盤側空間Ｋ１を通して楽器ケース１の前側に向けて放音されるが、低音側の音は、補助天板６２の放音孔６２ａから楽器ケース１の上側に放音されて放音蓋６４で楽器ケース１の前側に向けて反響される。これにより、音質がフラットな状態の音質になり、音質を変えることができる。
【０１３９】
一方、放音蓋６４を補助天板６２上に配置して補助天板６２の放音孔６２ａを塞いだ状態で、スピーカ１０で発生した音の音質を変える場合には、図８に示すように、第１収納状態の鍵盤蓋１３の前蓋１５を楽器ケース１内に向けて更に押込み、前蓋１５の前端部を天板６の前端部よりも後側に位置させる。このときには、前蓋１５のガイド軸１５ａがガイドレール部１８の軸規制部３７を乗り越え、後蓋１６が蝶番１７を中心に更に回転して後方に傾いた第２収納状態になり、鍵盤部７が第２露呈状態で楽器ケース１の上側に露呈する。
【０１４０】
また、このときには、図８に示すように、前蓋１５の後端部に設けられた操作突起部３５が仕切板３０の上端部を押圧して、仕切板３０をばね部材３２のばね力に抗して回転させて傾ける。これにより、仕切板３０は、後方に向けて斜めに傾くことにより、鍵盤側空間Ｋ１とスピーカ側空間Ｋ２との間が開放された開状態に切り替わる。
【０１４１】
これにより、第１実施形態と同様、仕切板３０の上端部と補助天板６２の下面との間に第１放音路３８ａが形成されると共に、仕切板３０の下端部と底板３の上面との間に第２放音路３８ｂが形成される。また、このときには、仕切板３０がばね部材３２のばね力に抗して一対の支持軸３１を中心に回転して後方に傾くので、この仕切板３０に設けられたスピーカ１０が斜め上方を向いて傾いた状態になる。
【０１４２】
この状態で、楽器ケース１の前部側から上側に露呈した鍵盤部７の複数の鍵９を押鍵操作して演奏すると、その押鍵操作に応じた音高の楽音をスピーカ１０が発生する。このスピーカ１０で発生した楽音のうち、高音側の音は、仕切板３０の放音孔３０ｂから鍵盤側空間Ｋ１内に斜め上方に向けて放音され、この放音された音が楽器ケース１の前側に向けて放音される。
【０１４３】
また、低音側の音は、楽器ケース１のスピーカ側空間Ｋ２内に放音される。このスピーカ側空間Ｋ２内に放音された低音側の音は、補助天板６２の放音孔６２ａが放音蓋６４で塞がれているので、第１放音路３８ａと第２放音路３８ｂとを通して楽器ケース１の前側に向けて放音される。このため、音質がフラットな状態の音質に変化する。
【０１４４】
すなわち、第１放音路３８ａは、仕切板３０の上端部と補助天板６２の下面との間に形成された隙間と、前蓋１５の上面と天板６の下面との間に形成された隙間とによって、鍵盤蓋１３の上側に形成されていることにより、スピーカ側空間Ｋ２内の音が楽器ケース１内の上側から楽器ケース１の前側に向けて放音される。
【０１４５】
また、第２放音路３８ｂは、仕切板３０の下端部と底板３の上面との間に形成された隙間と、鍵盤部７の複数の鍵９の各隙間とによって、楽器ケース１内の下部側に形成されていることにより、スピーカ側空間Ｋ２内の音が楽器ケース１内の下部側から楽器ケース１の前側に向けて放音される。これにより、スピーカ側空間Ｋ２内の音質がフラットな状態の音質に変化して放音される。
【０１４６】
この状態で、放音蓋６４を開いて補助天板６２の放音孔６２ａを開放した場合には、高音側の音は、仕切板３０の放音孔３０ｂから楽器ケース１内の鍵盤側空間Ｋ１を通して楽器ケース１の前側に向けて放音される。また、低音側の音は、第１放音路３８ａと第２放音路３８ｂとを通して楽器ケース１の前側に向けて放音されるほかに、補助天板６２の放音孔６２ａから楽器ケース１の上側に放音されて放音蓋６４で楽器ケース１の前側に向けて反響される。これにより、音質が更にフラットな状態の音質になり、より一層、音質を変えることができる。
【０１４７】
このように、この電子鍵盤楽器によれば、第１実施形態と同様、鍵盤蓋１３の開位置を変えるだけで、仕切板３０によって鍵盤側空間Ｋ１とスピーカ側空間Ｋ２との間を開閉することができるので、仕切板３０で鍵盤側空間Ｋ１とスピーカ側空間Ｋ２との間を仕切って塞いだ際に、スピーカ側空間Ｋ２を楽器ケース１内の音響空間として形成して音質を向上させることができ、また仕切板３０で鍵盤側空間Ｋ１とスピーカ側空間Ｋ２との間を開放した際に、楽器ケース１内に第１、第２の各放音路３８ａ、３８ｂを形成して、スピーカ側空間Ｋ２内の音を楽器ケース１の前側に向けて放音させることができるので、簡単に音質を変化させることができる。
【０１４８】
この場合、スピーカ１０は、仕切板３０に取り付けられていることにより、仕切板３０で鍵盤側空間Ｋ１とスピーカ側空間Ｋ２との間を仕切って塞いだ際に、スピーカ１０で発生した音のうち、高音側の音を仕切板３０の放音孔３０ｂから楽器ケース１の前側に向けて放音することができる。また、仕切板３０が鍵盤側空間Ｋ１とスピーカ側空間Ｋ２との間を開放した際に、仕切板３０と共にスピーカ１０が上向きに傾くので、このスピーカ１０で発生した音のうち、高音側の音を楽器ケース１の前側上方に向けて放音することができ、これによりスピーカ１０による音の指向を変えることができる。
【０１４９】
また、この電子鍵盤楽器では、楽器ケース１の天板部６０の補助天板６２に放音孔６２ａを設けると共に、この補助天板６２上に放音蓋６４を開閉可能に設けた構成であるから、仕切板３０で鍵盤側空間Ｋ１とスピーカ側空間Ｋ２との間を仕切って塞いだ状態においても、また仕切板３０が鍵盤側空間Ｋ１とスピーカ側空間Ｋ２との間を開放した状態においても、放音蓋６４を開いて補助天板６２の放音孔６２ａを開放することができ、これにより鍵盤蓋１３の開位置に係わらず、音質を自由に変化させることができる。
【０１５０】
すなわち、この電子鍵盤楽器では、仕切板３０で鍵盤側空間Ｋ１とスピーカ側空間Ｋ２との間を仕切って塞いだ状態で、放音蓋６４で補助天板６２の放音孔６２ａを塞ぐと、第１実施形態と同様、スピーカ側空間Ｋ２を音響空間として形成することができ、これにより音質を高めることができる。
【０１５１】
また、この電子鍵盤楽器では、仕切板３０で鍵盤側空間Ｋ１とスピーカ側空間Ｋ２との間を仕切って塞いだ状態で、放音蓋６４を開いて補助天板６２の放音孔６２ａを開放すると、低音側の音を補助天板６２の放音孔６２ａから放音させることができ、これにより音質をフラットな音質に変えることができる。
【０１５２】
さらに、この電子鍵盤楽器では、仕切板３０が鍵盤側空間Ｋ１とスピーカ側空間Ｋ２との間を開放した状態で、放音蓋６４で補助天板６２の放音孔６２ａを塞ぐと、第１実施形態と同様、第１、第２の各放音路３８ａ、３８ｂを通して低音側の音を放音させることができ、これにより音質をフラットな音質に変えることができる。
【０１５３】
また、この電子鍵盤楽器では、仕切板３０が鍵盤側空間Ｋ１とスピーカ側空間Ｋ２との間を開放した状態で、放音蓋６４を開いて補助天板６２の放音孔６２ａを開放すると、第１、第２の各放音路３８ａ、３８ｂを通して低音側の音を放音させるほか、補助天板６２の放音孔６２ａからも放音させることができ、これにより音質を更にフラットな音質に変えることができる。
【０１５４】
なお、上述した第３実施形態では、鍵盤蓋１３が前蓋１５と後蓋１６とを蝶番１７で連結した構成である第１実施形態の電子鍵盤楽器に適用した場合について述べたが、これに限らず、例えば、鍵盤蓋４０が１枚板で形成された第２実施形態の電子鍵盤楽器に適用することができる。この場合にも、鍵盤側空間Ｋ１とスピーカ側空間Ｋ２との間を仕切る仕切板３０にスピーカ１０を設けると共に、楽器ケース１の天板６を第３実施形態の天板部６０と同じ構成にすれば良い。
【０１５５】
すなわち、仕切板３０は、第３実施形態と同様、鍵盤側空間Ｋ１とスピーカ側空間Ｋ２との間を塞いだ閉状態のときに、スピーカ側空間Ｋ２を音響空間として形成し、鍵盤側空間Ｋ１とスピーカ側空間Ｋ２との間を開放した開状態のときに、仕切板３０の上端部と天板６の下面との間に第１放音路５３ａを形成すると共に、仕切板３０の下端部と底板３の上面との間に第２放音路５３ｂを形成するように構成すれば良い。
【０１５６】
また、この仕切板３０の両側部、つまり鍵盤部７の鍵配列方向における両側部には、第３実施形態と同様、放音孔３０ｂをそれぞれ設けると共に、この仕切板３０の後面、つまりスピーカ側空間Ｋ２側に位置する仕切板３０の後面には、スピーカ１０を各放音孔３０ｂにそれぞれ対応させて設ける。これにより、スピーカ１０は、高音側の音が仕切板３０の放音孔３０ｂから鍵盤側空間Ｋ１に向けて放音され、低音側の音がスピーカ側空間Ｋ２内に放音されるように構成すれば良い。
【０１５７】
また、楽器ケース１の天板部は、第３実施形態と同様、天板６１を一対の側板５の前側上部に設けると共に、この天板６１の下側には、補助天板６２を天板６１の下側から後板４の内面に亘って配置し、この状態で補助天板６２を取付金具６３によって側板５の内面に取り付ければ良い。また、この補助天板６２には、放音孔６２ａを設けると共に、この補助天板６２上には、放音蓋６４を開閉可能に配置すれば良い。
【０１５８】
すなわち、この放音蓋６４も、第３実施形態と同様、その後端部を後板４の上端後部に蝶番６５によって回転可能に取り付ける。これにより、放音蓋６４は、蝶番６５を中心に反時計回りに回転して補助天板６２上に配置された際に、補助天板６２の放音孔６２ａを塞ぐように構成すれば良い。また、この放音蓋６４は、蝶番６５を中心に時計回りに回転して補助天板６２上に傾斜した状態で配置された際に、補助天板６２の放音孔６２ａを開放するように構成すれば良い。
【０１５９】
この場合にも、放音蓋６４は、補助天板６２上に傾斜した状態で配置された際に、支持装置６６によって支持されるように構成すれば良い。この支持装置６６は、放音蓋６４の下面に設けられた金具収納部６４ａ内の前部に回転可能に取り付けられた支持部材６７と、この支持部材６７の下部をガイドして保持するガイド保持部６８とを備えていれば良い。
【０１６０】
これにより、支持装置６６は、第３実施形態と同様、放音蓋６４が補助天板６２上に配置された際に、支持部材６７の上部６７ａがガイド保持部６８の前端部の前側に位置し、支持部材６７の下部６７ｂがガイド保持部６８の後端部に位置した状態で、支持部材６７が横倒し、この状態で支持部材６７とガイド保持部６８とが放音蓋６４の金具収納部６４ａ内に収納されるように構成されていれば良い。
【０１６１】
また、この支持装置６６は、第３実施形態と同様、放音蓋６４を補助天板６２上に押し上げて起立させる際に、支持部材６７の上部６７ａを中心に支持部材６７が回転しながら、支持部材６７の下部６７ｂがガイド保持部６８に沿って後部側から前部側に向けて移動し、この移動した支持部材６７の下部６７ｂがガイド保持部６８の前端部に当接することにより、支持部材６７を起立させた状態で放音蓋６４を補助天板６２上に前上がりに傾斜させて保持するように構成されていれば良い。
【０１６２】
このように、鍵盤蓋４０を１枚板で形成した第２実施形態に第３実施形態を適用した電子鍵盤楽器においても、鍵盤側空間Ｋ１とスピーカ側空間Ｋ２との間を仕切る仕切板３０を設け、この仕切板３０にスピーカ１０を設けると共に、楽器ケース１の天板６を第３実施形態と同じ天板部６０に構成しても、第２実施形態および第３実施形態と同様の作用効果を有する。
【０１６３】
なお、上述した第１〜第３の各実施形態およびその変形例では、スピーカ１０を楽器ケース１内に下向きまたは前向きに配置した場合について述べたが、これに限らず、楽器ケース１内にスピーカ１０を上向きに配置しても良く、また後向きに配置しても良い。
【０１６４】
また、上述した第１〜第３の各実施形態およびその変形例では、ねじりコイルばねなどのばね部材３２のばね力によって鍵盤側空間Ｋ１とスピーカ側空間Ｋ２とを塞ぐ位置に向けて仕切板３０を付勢するように構成した場合について述べたが、これに限らず、板ばね、コイルばね、ゴム紐などの付勢部材で鍵盤側空間Ｋ１とスピーカ側空間Ｋ２との間を塞ぐ位置に向けて仕切板３０を付勢するように構成しても良く、また付勢部材は、仕切板３０の下部に錘を設け、この錘の重量で鍵盤側空間Ｋ１とスピーカ側空間Ｋ２との間を塞ぐ位置に向けて仕切板３０を付勢するように構成しても良い。
【０１６５】
また、上述した第１〜第３の各実施形態およびその変形例では、鍵盤側空間Ｋ１とスピーカ側空間Ｋ２との間を塞ぐ位置に仕切板３を位置規制する位置規制部３４を天板６の下面または補助天板６１の下面に設けた場合について述べたが、これに限らず、例えば楽器ケースの底板２の上面または一対の側板５の内面に設けても良い。
【０１６６】
また、上述した第１〜第３の各実施形態およびその変形例では、鍵盤蓋１３の前蓋１５または鍵盤蓋４０に操作突起部３５、５２を設け、この操作突起部３５、５２で仕切板３０を押圧して傾動させるように構成した場合について述べたが、これに限らず、例えば仕切板３０に操作突起部を設け、この操作突起部を鍵盤蓋が押圧して仕切板３０を傾動させるように構成しても良い。また、これに限らず、例えば、操作突起部を鍵盤蓋１３の前蓋１５または鍵盤蓋４０と仕切板３０との両方に設けた構成であっても良い。
【０１６７】
さらに、上述した第１〜第３の各実施形態およびその変形例では、鍵盤蓋１３、４０を楽器ケース１にスライド可能に設けた構成である場合について述べたが、これに限らず、例えば鍵盤蓋を楽器ケースに回転可能に取り付け、鍵盤蓋を回転させることにより鍵盤部７を開閉するように構成しても良い。
【０１６８】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【０１６９】
（付記）
請求項１に記載の発明は、前部側が上方に開放された楽器ケースと、この楽器ケース内に配置され、当該楽器ケースの前部上側に露呈された鍵盤部と、この鍵盤部の後方に位置し、前記楽器ケース内に配置されたスピーカと、前記鍵盤部と前記スピーカとの間に設けられ、前記楽器ケース内を鍵盤側空間とスピーカ側空間とに仕切る仕切部材と、前記楽器ケース内に収納可能に構成され、当該楽器ケース内に収納されない状態で前記鍵盤部を覆うとともに当該楽器ケース内に収納された状態で前記鍵盤部を露呈させ、当該収納の状態に応じて前記仕切部材を傾動させて前記鍵盤側空間と前記スピーカ側空間との間を開閉させる鍵盤蓋と、を備えていることを特徴とする鍵盤楽器である。
【０１７０】
請求項２に記載の発明は、請求項１に記載の鍵盤楽器において、前記鍵盤蓋は前記収納の状態として、前記鍵盤部を露呈させた第１収納状態と、この第１収納状態から更に前記鍵盤蓋を前記楽器ケースの内部へ収納させた第２収納状態と、を有することを特徴とする鍵盤楽器である。
【０１７１】
請求項３に記載の発明は、請求項２に記載の鍵盤楽器において、前記仕切部材は前記楽器ケースの前後方向に傾動可能に設けられ、前記第１収納状態の場合に、前記仕切部材を傾動させず、当該仕切部材によって前記鍵盤側空間と前記スピーカ側空間との間を閉状態に維持させ、一方、前記第２収納状態の場合に、前記鍵盤蓋の開動作に伴って前記仕切部材を傾動させ、前記鍵盤側空間と前記スピーカ側空間との間を開放する開状態に切り替えることを特徴とする鍵盤楽器である。
【０１７２】
請求項４に記載の発明は、請求項３に記載の鍵盤楽器において、前記楽器ケース内に前記仕切部材を前後方向に回転可能に支持する支持軸と、前記鍵盤側空間と前記スピーカ側空間との間を塞ぐ位置に向けて前記仕切部材を付勢する付勢部材とを備えていることを特徴とする鍵盤楽器である。
【０１７３】
請求項５に記載の発明は、請求項１〜請求項４のいずれかに記載の鍵盤楽器において、前記鍵盤蓋は、複数の蓋部が折り曲げ可能に連結され、前記楽器ケースにスライド可能に設けられていることを特徴とする鍵盤楽器である。
【０１７４】
請求項６に記載の発明は、請求項１〜請求項４のいずれかに記載の鍵盤楽器において、前記鍵盤蓋は、１枚の平板で形成され、前記楽器ケースにスライド可能に設けられていることを特徴とする鍵盤楽器である。
【０１７５】
請求項７に記載の発明は、請求項１〜請求項６のいずれかに記載の鍵盤楽器において、前記スピーカは前記仕切部材に取り付けられていることを特徴とする鍵盤楽器である。
【符号の説明】
【０１７６】
１  楽器ケース
２  底板
２ａ  放音孔
５  側板
６、６１  天板
７  鍵盤部
８  鍵盤シャーシ
９  鍵
１０  スピーカ
１３、４０  鍵盤蓋
１４、４１  蓋ガイド部
１５  前蓋
１５ａ  ガイド軸
１６  後蓋
１６ａ  ガイド軸
１８、４５  ガイドレール部
１９、４６  ガイド部材
２０  支持軸
２１  アーム部
２２  連結軸
３０  仕切板
３０ｂ  放音孔
３１  支持軸
３２  ばね部材
３４  位置規制部
３５、５２  操作突起部
３７、４５ａ  軸規制部
３８ａ、５３ａ  第１放音路  
３８ｂ、５３ｂ  第２放音路
４２  前側ガイド軸
４７  後側ガイド軸
４９  ガイド板
６０  天板部
６２  補助天板
６２ａ  放音孔
６３  放音蓋
Ｋ１  鍵盤側空間
Ｋ２  スピーカ側空間
【図１】
2015090372.tif 000003
【図２】
2015090372.tif 000004
【図３】
2015090372.tif 000005
【図４】
2015090372.tif 000006
【図５】
2015090372.tif 000007
【図６】
2015090372.tif 000008
【図７】
2015090372.tif 000009
【図８】
2015090372.tif 000010